(57)【特許請求の範囲】
【請求項１】
基材に塗布された転写媒体を巻装した送出軸と、被転写媒体上に転写媒体を転写した後の基材を巻き取る巻取軸と、該基材の搬送経路上に設けられ、転写媒体を被転写体に転写する転写部とを筐体に備えた転写具において、前記転写部の前記転写媒体の転写側と反対側の幅方向両端部を、各々独立して弾性変形する腕部によって支持し、また、前記転写部の幅方向の両端部を、前記筐体の開口部の端縁とほぼ接触する位置に配置し、さらに、前記開口部の端縁に、各々の前記腕部が弾性変形した際に前記転写部の幅方向の一部が滑り込む斜面を形成したことを特徴とする転写具。
【請求項２】
基材に塗布された転写媒体を巻装した送出軸と、被転写媒体上に転写媒体を転写した後の基材を巻き取る巻取軸と、該基材の搬送経路上に設けられ、転写媒体を被転写体に転写する転写部とを筐体に備えた転写具において、前記転写部の前記転写媒体の転写側と反対側の幅方向両端部を、各々独立して弾性変形する腕部によって支持し、また、前記転写部における転写媒体の転写部位の幅方向の両端に基材が該転写部位から脱線することを防止するガイド面を設け、これらガイド面の互いの両外側で前記開口部側の縁部に、幅方向中央に集合する斜面を形成したことを特徴とする転写具。
【請求項３】
各々の腕部の幅方向外側間の面積全域に対して、該腕部によって囲まれた空隙の面積が、６５〜８５％であることを特徴とする請求項１又は２に記載の転写具。
【発明の詳細な説明】
【技術分野】
【０００１】
本発明は、被転写体に転写媒体の幅方向の一部が偏って転写されることを防止する共に、安定した使用感が得られる転写具に関する。
【背景技術】
【０００２】
基材に塗布された転写媒体を巻装した送出軸と、送出軸から送り出され、被転写媒体上に転写媒体を転写した後の基材を巻き取る巻取軸と、送出軸と巻取軸との間の基材の搬送経路上に設けた転写部とを筐体に有した転写具が知られている。
【０００３】
転写具は、筐体を手に持って、被転写体に対して、転写部の幅方向の左右均等に力がかかるようにして正しく使用すれば、該転写部の全面が被転写体に接触するから、転写媒体の幅方向全域が均一的に被転写体に転写されることになる。
【０００４】
ところが、例えば被転写体上で曲線状に転写媒体を転写したり、直線状であっても力のかけ具合が左右均等ではない場合、においては、被転写体から転写部の一部が浮き上がって（この現象を以下、片当たりという）、転写媒体の幅方向の一部が被転写体に転写されないことがある。
【０００５】
片当たりが生じると、例えば被転写体においては、転写媒体が密着して転写されずに不完全な転写となったり、予定している幅に転写媒体が転写されないことになり、一方、例えば転写具においては、転写媒体が基材に残留して次回の使用開始箇所で正しく転写ができなくなる可能性がある。
【０００６】
上記した片当たりを解消する構成を有した転写具について、以下の特許文献１〜３が存在する。
【特許文献１】特開平８−１７５０９５号公報
【特許文献２】特開平８−２９０６９９号公報
【特許文献３】国際公開第ＷＯ２０００−２１７６１号パンフレット
【０００７】
上記特許文献１は、舌状とされた転写部の先端部を除く部位が軸状とされ、この軸状部位が筐体内で周方向に回動可能に枢支された構成の転写具が示されている。特許文献１は、転写部の先端部の幅方向中央を中心として、筐体に力をかけた方向に回転することで、片当たりを防止するようにしている。
【０００８】
上記特許文献２は、ローラ状とされた転写部の枢支軸の中央部に揺動体（例えば、球体）が設けられ、この揺動体を受ける受部が転写部の内部における幅方向中央部に形成された転写具が示されている。特許文献２は、転写部を回転可能に枢支する枢支軸における揺動体を中心として、筐体に力をかけた方向に揺動することで、片当たりを防止するようにしている。
【０００９】
上記特許文献３は、転写部が矩形状（例えば凹字状）の金属線材により形成された転写具が示されている。特許文献３は、筐体に力をかけた方向に矩形状の金属線材が歪むことで、片当たりを防止するようにしている。
【発明の開示】
【発明が解決しようとする課題】
【００１０】
しかしながら、上記した特許文献１〜３では次の問題点がある。
特許文献１は、転写部がその幅方向中央を中心に回転するように枢支されているから、筐体への力のかかり具合に応じて敏感に相対回転する。この相対回転とは、すなわち転写部が回転するのではなく、筐体側が回転してしまうことを意味する。その理由は、転写部は被転写体に接触しているから、前記回転に対しては固定状態となるからである。
【００１１】
よって、特許文献１は、片当たりが生じるほどの偏った力が筐体に加わると、実際には筐体側が過大に（力がかかった側に如実に）相対回転し、直線状に転写媒体を転写しにくく、また、意図する方向に転写媒体を転写しにくいといった問題がある。
【００１２】
特許文献２は、転写部が揺動体を有した枢支軸により枢支されているため不安定であることから、上記特許文献１と同様に、片当たりが生じるほどの偏った力が筐体に加わると、筐体側が過大に（力がかかった側に如実に）相対揺動し、直線状に転写媒体を転写しにくく、また、意図する方向に転写媒体を転写しにくいといった問題がある。
【００１３】
特許文献３は、特許文献１及び２と較べて構成上、積極的に回転又は揺動させる構成ではなく、力がかかったときにその力に応じて転写部を歪ませるようにしている点で、安定した操作が可能である。
【００１４】
しかし、ある程度の歪みは許容できるとしても、金属線材が凹字状で一体とされていたために、捻れ方向の大きな力がかかった際には、凹字状の両端部の取り付け位置へその力が集中し、歪みに起因して金属線材の取付が外れたり取付部位が損傷する可能性がある。
【００１５】
また、金属線材の取付が外れたり取付部位の損傷を免れようとして該金属線材の強度を高くして歪みにくくすると、結果的に、本願の前提条件と同様に筐体に偏った力が働けば歪むことなく転写部も傾くことになるので、片当たりが発生する。
【００１６】
本発明が解決しようとする問題点は、片当たりを防止するために転写部を回転させたり揺動させたりすると安定した操作性に欠けるという点、及び金属線材により凹字状に転写部を構成すると捻れ方向に大きな力がかかった場合に該金属線材が損傷したり該金属線材の取り付けが外れたりする可能性があるという点、を解消することにある。
【課題を解決するための手段】
【００１７】
上記問題を解決するために、本発明の転写具は、転写部の転写媒体の転写側と反対側の幅方向両端部を、各々独立して弾性変形する腕部によって支持し、また、前記転写部の幅方向の両端部を、前記筐体の開口部の端縁とほぼ接触する位置に配置し、さらに、前記開口部の端縁に、各々の前記腕部が弾性変形した際に前記転写部の幅方向の一部が滑り込む斜面を形成する構成とした。
【発明の効果】
【００１８】
本発明に係る転写具は、次の作用効果を有する。転写部は、筐体から幅方向の左右で不均等な力をうけたときに、該転写部の転写媒体の転写側と反対側において幅方向両端部を支持した各々の腕部が弾性変形する。この幅方向両端部の腕部の独立した弾性変形により、該転写部が相対的に筐体が力がかかった側に傾き、これにより前記不均等な力が逃がされる。
【００１９】
つまり、本発明に係る転写具は、片当たりが生じ得る不均等な力がかからなくても積極的に転写部を軸回転させたり揺動させたりする特許文献１，２とは異なり、不均等な力がかかった側の腕部が積極的に弾性変形し、他方の腕部はそれに追従するように弾性変形するといったように、腕部が各々独立するから、操作性を安定させることができる。
【００２０】
さらに、本発明に係る転写具は、金属線材により凹字状に転写部を構成する特許文献３と異なり、例えばローラ状や舌状の構造上安定した構成において実現できるので、不均等な大きな力がかかったとしても転写部周辺が破損するということがなくなる。
【発明を実施するための最良の形態】
【００２１】
本発明の転写具は、以下の形態により実施可能である。
本発明の転写具１は、筐体２内に、図示しない次の構成を有している。すなわち、筐体２内には、基材に塗布された転写媒体を巻装した送出軸と、送出軸から送り出され、被転写媒体上に転写媒体を転写した後の基材を巻き取る巻取軸とを有している。
【００２２】
筐体２の先端部位には、開口部２Ａが形成されている。この開口部２Ａは、転写部３を筐体２の外部に突出させるためのものである。開口部２Ａの開口縁部には、図１（ａ）（ｃ）に示すように、筐体２の内部側に傾斜した斜面２ａが形成されている。この斜面２ａは、少なくとも、図１（ｃ）における紙面上下方向、つまり開口部２Ａの両側部位に形成しておけばよいが、本形態では、開口部２Ａの縁部全周に形成している。
【００２３】
転写部３は、次のように構成されている。本形態では、転写部３の種別としては、ローラ３Ａを有するもので説明するが、このローラ３Ａが舌状であっても構わない（図３参照）。ローラ３Ａの軸方向両端は、該ローラ３Ａの軸部３Ａａが枢支されると共に、本形態ではガイド面３Ｂが設けられている。このガイド面３Ｂを設けることで、該ローラ３Ａの周面上を経由する基材が該周面から脱線しないようにすることができる。
【００２４】
このガイド面３Ｂは、図１（ｂ）に示すように、側面視三角形状であるが、上記機能を果たし、かつ後述するように開口部２Ａに入り込む形状であるならば、特に限定しない。ガイド面３Ｂの先端部には、図１（ｂ）に示すようにローラ３Ａの径が該ガイド面３Ｂの先端からはみ出すように、前述のとおりローラ３Ａの軸部３Ａａが枢支されている。
【００２５】
ガイド面３Ｂにおいてローラ３Ａを枢支した先端とは反対端（以下、後端という）は、開口部２Ａにほぼ接触するように配置されている。そして、ガイド面３Ｂ，３Ｂの外面間の幅は斜面２ａが形成された開口部２Ａの内面間の幅と等しくされている。ちなみに、ローラ３Ａの幅は、ガイド面３Ｂ，３Ｂの対向する内面間の幅と同程度とされている。
【００２６】
ガイド面３Ｂ，３Ｂの内面間で後端には、転写部３全体を筐体２Ａに接続するための接続部４が設けられている。接続部４は、本形態ではガイド面３Ｂ，３Ｂの各々に設けられ、独立して弾性変形する腕部４Ａ，４Ａと、これら腕部４Ａ，４Ａを集合させて筐体２Ａの両側内面に取り付けられる取付部４Ｂとからなる。
【００２７】
なお、腕部４Ａ，４Ａは、ガイド面３Ｂ，３Ｂを有しない構成の場合は、転写部３において、転写媒体を転写する側とは反対側の幅方向両端部に直接設けられる。具体的には、図１に示すローラ３の軸部３Ａａ，３Ａａは腕部４Ａ，４Ａにより枢支され、図３に示す舌片３Ｃは転写媒体を転写する側と反対側の幅方向両端部に腕部４Ａ，４Ａが設けられることになる。
【００２８】
すなわち、接続部４は、後述するが、転写部３から筐体２までの距離を短くしつつ、弾性変形しやすくするために、腕部４Ａ，４Ａを有し、該腕部４Ａ，４Ａ間を空隙としているのである。
【００２９】
転写部３から筐体２までの距離を短くした点について言及すると、例えば接続部４が過剰に長いと弾性変形しやすくなるから、わずかな不均等な力に対して敏感に弾性変形して、結果としては直線状に転写媒体を転写する際にも蛇行しやすくなり、操作の安定性を欠くことになる。
【００３０】
したがって、接続部４は可能な限り短くして過剰な弾性変形を抑制する一方、片当たりが生じるような不均等な力に対しては的確に弾性変形するように構成することが望ましい。この観点に基づいて、接続部４には、転写部３の幅方向の両端でそれぞれ独立して弾性変形する腕部４Ａ，４Ａを有しているのである。
【００３１】
例えば腕部４Ａ，４Ａは、適度な曲げ弾性を有するポリアセタールを採用することが望ましい。さらにはポリアセタールを、腕部４Ａ，４Ａのみならず、図１においてはガイド面３Ｂに、図３においては舌片３Ｃ及びガイド面３Ｂに、も採用することが望ましい。この理由は、図１においてはローラ３Ａの回転（端面の滑り性）を、図３においては舌片３Ｃにおける基材の滑り性を、良好なものとできるからである。
【００３２】
また、腕部４Ａ，４Ａは、材質として上記ポリアセタールを採用した場合、腕部４Ａ，４Ａの厚みは１．３〜２．２ｍｍのとき、該腕部４Ａ，４Ａの幅方向外側間の面積全域に対して、該腕部４Ａ，４Ａの幅方向内側によって囲まれた空隙の面積が６５〜８５％、好ましくは７０〜８０％とすればよい。
【００３３】
上記の腕部４Ａ，４Ａの厚みを、１．３ｍｍより薄くすると面積率に拘わらず容易に弾性変形して使いにくく、２．２ｍｍより厚くすると面積率に拘わらず弾性変形しにくく片当たりが生じる虞がある。
【００３４】
一方、上記面積率は、６５％よりも低いと上記厚みに拘わらず弾性変形しにくく片当たりが生じる虞があり、８５％より高いと上記厚みに拘わらず容易に弾性変形し、わずかな不均等な力に対して敏感に弾性変形することになり、結果として例え直線状に使用しようとしても蛇行しやすくなって操作の安定性を欠く虞がある。
【００３５】
この構成により、片当たりが生じるような不均一な力に対して、力がかかった側の腕部４Ａは積極的に弾性変形し、他方の腕部４Ａは転写部３を介して単に追従するように弾性変形する、といったように独立して弾性変形するから、本発明の転写具１は、適度な使い心地効果と、確実な片当たり防止効果を得ることができるのである。
【００３６】
そして、接続部４に腕部４Ａ，４Ａを形成して長さを短くする構成とした結果、必然的にガイド面３Ｂ、又はガイド面３Ｂを有していない場合は転写部３（ローラ３Ａや舌片３Ｃ）の後端が、開口部２Ａに接近することになる。このとき、ガイド面３Ｂが開口部２Ａに当接して腕部４Ａ，４Ａのそれ以上の弾性変形が阻害されると、大きな不均等な力に対しては片当たり防止の機能を発揮しないことになる。
【００３７】
したがって、開口部２Ａの開口縁部に斜面２ａを形成して、相対的に筐体２が傾いたときにはガイド面３Ｂの一部が開口部２Ａに入り込みやすくしたのである。このように構成することで、腕部４Ａ，４Ａの弾性変形が阻害されず、大きな不均等な力に対しても適切に筐体２と相対的に転写部３を傾動させることができる。
【００３８】
仮に、ガイド面３Ｂの筐体２に対する傾き量を大きくするために、開口部２Ａからガイド面３Ｂを離間させると、結果的に接続部４の長さを長くしていることになり、また、前記面積率が８５％より高くなる可能性があるため、操作の安定性を欠く可能性がある。
【００３９】
以上のことから、本発明の転写具１は、独立して弾性変形する腕部４Ａ，４Ａを形成してガイド面３Ｂ（つまり転写部３）の後端を開口部２Ａに接近させ、開口部２Ａの開口縁部に斜面２ａを形成して転写部３の一部が該斜面２ａを滑って開口部２Ａに入り込みやすくしているのである。
【００４０】
本形態における転写具１は、上記したように、筐体２に、ローラ３Ａの幅方向の左右で不均等な力がかかったときに、接続部４が弾性変形し、このときに図２に示すように、ガイド面３Ｂ，３Ｂの一部が斜面２ａを滑って開口部２Ａ内に挿入され、かつ接続部４の弾性変形により不均等な力が逃がされ、片当たりが防止される。
【００４１】
また、転写具１は、開口部２Ａ内に挿入される側のガイド面３Ｂは、不均等な力がかかって該開口部２Ａ内に挿入される前に一旦は斜面２ａに接触する。ガイド面３Ｂと斜面２ａとの接触の感覚により、使用者に不均等な力がかかっている合図として知らせることができる。
【００４２】
もちろん、使用者が前記接触を感知して、それ以上の不均等な力をかけつづけても上記したように片当たりが生じることはないが、こうした合図があることで、使用者に向けて均等な力をかけて使用するという転写具１の本来の正しい操作を促すことができる。
【００４３】
図３に示す転写具１は、上記形態と異なる構成として、ローラ３Ａに代えて舌片３Ｃとし、開口部２Ａに斜面２ａを形成すると共に、ガイド面３Ｂ，３Ｂの両外側に、転写部３の先端から後端に向けて舌片３Ｃの幅方向中央に傾斜した斜面３ａを形成している。このようにすれば上記より顕著な作用効果を得ることができる。
【００４４】
なお、ガイド面３Ｂ，３Ｂの両外側に斜面３ａを形成した場合は、必ずしも開口部２Ａの斜面２ａを形成する必要はない。
【実施例】
【００４５】
以下、本発明に係る転写具の効果を確認するために行った実験について説明する。
上記図１に示す、腕部４Ａの材質をポリアセタールとし、厚みが１．８ｍｍ、面積率が７０％とした転写具１（実施例１）と、特許文献１〜３の構成の転写具（比較例１〜３）について次の実験を行った。なお、実施例１、比較例１〜３は、転写媒体及び基材の条件は全て同一とした。
【００４６】
（実験１）：２０ｃｍの直線操作を行う際、最初の５ｃｍと最後の５ｃｍだけ操作方向の右側（直線進行の右側）に筐体を傾けて０．８ｋｇの偏った力を加えた。
（実験２）：半径５ｃｍの円状に描かれた線の上に転写した。
（実験３）：半径７ｃｍの（大径）Ｓ字、５ｃｍの直線、半径３ｃｍの（小径）Ｓ字、の順に描かれた線の上に転写した。
【００４７】
（実験１）
実施例１は、片当たりによる部分的な転写不良（転写媒体が被転写体に転写されない状態）が発生せず、かつ直線状に転写媒体を転写することが容易にできた。
比較例１，２は、片当たりによる部分的な転写不良は発生しなかったものの、偏った力を加えた後に左右均等に力をかけたときに安定性に欠け、直線状に転写することが困難であった。
比較例３は、直線状に操作はできたが、片当たりに起因する転写不良が発生した。
【００４８】
（実験２）
実施例１は、片当たりによる部分的な転写不良が発生せず、かつ描かれた円形の線の通りに転写することが容易にできた。
比較例１，２は、片当たりによる部分的な転写不良は発生しなかったものの、曲線操作を行う際の力の加え方が難しく、不安定であったため描かれた円形の線の通りに転写することが困難であった。
比較例３は、円形の線の通りに転写することはできたが、片当たりに起因する転写不良が発生した。
【００４９】
（実験３）
実施例１は、転写不良は発生せず、描かれた線の上を何ら支障なく転写することができ、使用感は終始安定していた。
比較例１，２は、大径及び小径のＳ字部分でも片当たりに起因する転写不良は発生しなかったが、意図する方向に転写することができず著しく困難で、何度も描かれた線の上から脱線したりして、操作を中断しなければならなかった。
比較例３は、特に小径のＳ字部分で、片当たりに起因する転写不良が生じた。
【００５０】
以上のことから、本発明の転写具は、直線状に転写させる際には安定した操作感を得ることができ、かつ筐体に偏った力がかかった際には片当たりを防止することができ、また、安定操作により意図する方向に自在に転写させることができると共にそのように方向転換した際に片当たりを防止することができた。
【図面の簡単な説明】
【００５１】
【図１】本発明の転写具を示し、（ａ）は要部斜視図、（ｂ）は（ａ）のＡ矢視図、（ｃ）は（ｂ）のＢ−Ｂ線断面図、である。
【図２】本発明の転写具の使用状況を示す斜視図である。
【図３】本発明の他の構成による転写具を示し、（ａ）は要部斜視図、（ｂ）は（ａ）のＣ矢視図、（ｃ）は（ｂ）のＤ−Ｄ線断面図、である。
【符号の説明】
【００５２】
１  転写具
２  筐体
２Ａ  開口部
２ａ  斜面
３  転写部
３Ｂ  ガイド面
３ａ  斜面
４  接続部
４Ａ  腕部
４Ｂ  取付部
【図１】
0004824470.tif 000002
【図２】
0004824470.tif 000003
【図３】
0004824470.tif 000004